(57)【要約】【課題】負荷ノイズ及び飛来ノイズ等が電力線に混入しても、通信障害が発生し難い電力線通信システムの提供。【解決手段】電力線１を通じて信号を送信する電力線送信部２８と、その信号を無線送信する無線送信部２７とを有する送信機２２を備え、電力線送信部２８からの信号を電力線１を通じて受信する電力線受信部３５と、無線送信部２７からの信号を無線により受信する無線受信部３４と、電力線受信部３５及び無線受信部３４がそれぞれ受信した各信号を合成、又は受信品質の良好な方を選択して出力するダイバシティ部３６とを有する受信機３１を備える電力線通信システム。無線送信部２７が、送信する信号を所定時間遅延させる送信遅延回路２９ｂを備え、電力線受信部３５が、受信した信号を所定時間遅延させる受信遅延回路３９ａを備える構成である。【選択図】図１
2008283483.tif 000002
【特許請求の範囲】
【請求項１】
電力線を通じて信号を送信する電力線送信部と、該信号を無線により送信する無線送信部とを有する１又は複数の送信機を備え、前記電力線送信部からの信号を電力線を通じて受信する電力線受信部と、前記無線送信部からの信号を無線により受信する無線受信部と、前記電力線受信部及び無線受信部がそれぞれ受信した各信号を合成、又は該各信号の受信品質の良好な方を選択して出力するダイバシティ部とを有する１又は複数の受信機を備える電力線通信システムにおいて、
前記無線送信部が、送信する信号を所定時間遅延させる送信遅延回路を備え、前記電力線受信部が、受信した信号を前記所定時間遅延させる受信遅延回路を備えることを特徴とする電力線通信システム。
【請求項２】
電力線を通じて信号を送信する電力線送信部と、該信号を無線により送信する無線送信部とを有する１又は複数の送信機を備え、前記電力線送信部からの信号を電力線を通じて受信する電力線受信部と、前記無線送信部からの信号を無線により受信する無線受信部と、前記電力線受信部及び無線受信部がそれぞれ受信した各信号を合成、又は該各信号の受信品質の良好な方を選択して出力するダイバシティ部とを有する１又は複数の受信機を備える電力線通信システムにおいて、
前記電力線送信部が、送信する信号を所定時間遅延させる送信遅延回路を備え、前記無線受信部が、受信した信号を前記所定時間遅延させる受信遅延回路を備えることを特徴とする電力線通信システム。
【請求項３】
電力線を通じて信号を送信する電力線送信部と、該信号を無線により送信する無線送信部とを有する送信機を備え、前記電力線を通じて信号を受信する電力線受信部と、無線により信号を受信する無線受信部と、前記電力線受信部及び無線受信部がそれぞれ受信した各信号を合成、又は該各信号の受信品質の良好な方を選択して出力するダイバシティ部とを有する受信機を備える電力線通信装置において、
前記無線送信部が、送信する信号を所定時間遅延させる送信遅延回路を備え、前記電力線受信部が、受信した信号を前記所定時間遅延させる受信遅延回路を備えることを特徴とする電力線通信装置。
【請求項４】
電力線を通じて信号を送信する電力線送信部と、該信号を無線により送信する無線送信部とを有する送信機を備え、前記電力線を通じて信号を受信する電力線受信部と、無線により信号を受信する無線受信部と、前記電力線受信部及び無線受信部がそれぞれ受信した各信号を合成、又は該各信号の受信品質の良好な方を選択して出力するダイバシティ部とを有する受信機を備える電力線通信装置において、
前記電力線送信部が、送信する信号を所定時間遅延させる送信遅延回路を備え、前記無線受信部が、受信した信号を前記所定時間遅延させる受信遅延回路を備えることを特徴とする電力線通信装置。
【請求項５】
電力線を通じて信号を送信する電力線送信部と、該信号を無線により送信する無線送信部とを備える電力線送信機において、
前記電力線送信部又は無線送信部が、送信する信号を所定時間遅延させる送信遅延回路を備えることを特徴とする電力線送信機。
【請求項６】
電力線を通じて信号を受信する電力線受信部と、無線により信号を受信する無線受信部と、前記電力線受信部及び無線受信部がそれぞれ受信した各信号を合成、又は該各信号の受信品質の良好な方を選択して出力するダイバシティ部とを備える電力線受信機において、
前記電力線受信部又は無線受信部が、受信した信号を所定時間遅延させる受信遅延回路を備えることを特徴とする電力線受信機。
【発明の詳細な説明】
【技術分野】
【０００１】
本発明は、電力線を通じて信号を送受信する電力線通信システム及び電力線通信装置、並びに電力線通信システムに使用される電力線送信機及び電力線受信機に関するものである。
【背景技術】
【０００２】
近時、商用の１００Ｖ（５０／６０Ｈｚ）の電力線、及び車両内の電力線（直流又は交流）等に高周波信号を重畳し、電力線を伝送路として双方向の通信を行う電力線通信が実用化されつつある。
電力線通信の利点としては、既存の電灯引込線及びコンセントがそのまま利用でき、新規の配線工事が不要、プラグをコンセントに差込むだけで接続でき、即時に利用可能、各家庭内の各部屋間でホームネットワークの構築が可能等が考えられる。
【０００３】
特許文献１には、電力線を使用する送受信器と無線送受信器とを備え、共通のデータ処理部を通じて、同一データを有線及び無線の両方で送信し、受信側では有線及び無線でそれぞれ受信したデータを、ダイバシティ部で合成して、又は受信信号品質に応じて一方を選択して受信データとする電力線通信システムが開示されている。
【０００４】
特許文献２には、電力線を使用する送受信器と無線受信器（受信器のみ）とを備えて、データを有線送信し、受信側では有線で受信したデータ、及び電力線通信信号の漏洩電界を利用した無線で受信したデータを、ダイバシティ部で合成して、又は受信信号品質に応じて一方を選択して受信データとする電力線通信システムが開示されている。
【特許文献１】特開２００６−３３９８８２号公報
【特許文献２】特開２００６−３３９８２１号公報
【発明の開示】
【発明が解決しようとする課題】
【０００５】
電力線通信の問題点の１つとして、使用する高周波帯域では、電力線から電力供給される家電機器又は車載機器等から発生する負荷ノイズ、及び空中を伝播する飛来ノイズ等が、電力線に混入し、通信障害が発生することが挙げられる。
特許文献１，２に開示された技術では、電力線通信でノイズ等の影響を受け、通信が妨害されるという問題を、無線通信を併用することで回避しようとしているが、両者共に、有線及び無線の信号データの伝送タイミングが同じである為、現実には通信障害を回避することは困難である。
【０００６】
即ち、通信の障害源となるノイズが発生した場合、図５（ａ）（ｂ）に示すように、それらは有線通信にも無線通信にも同一タイミングで影響を与えることになり、それらを合成したとしても、その通信結果は、（ｃ）に示すように、影響された部分が欠損となる。特許文献２に開示された技術では、有線通信のデータの一部にノイズが重畳した場合でも、その漏洩電界を利用して無線で受信しており、明らかにデータの同一タイミング部分にノイズの影響が生じる。
【０００７】
特許文献１に開示された技術では、特許文献１の段落番号［００１２］において、「無線通信は周波数のアップコンバート及びダウンコンバートだけで済み電力線通信に対して通信の遅延時間やジッタ等に差がほとんど生じない・・・」と記載されており、有線信号及び無線信号を同じタイミングで送受信することが明示されている。
従って、特許文献１，２に開示された技術では、同じ理由により、ノイズの妨害に対して、有線信号と無線信号とが補完的に作用することはできず、通信の信頼性を確保することはできない。
【０００８】
本発明は、上述したような事情に鑑みてなされたものであり、第１，２発明では、負荷ノイズ及び飛来ノイズ等が電力線に混入しても、通信障害が発生し難い電力線通信システムを提供することを目的とする。
第３，４発明では、負荷ノイズ及び飛来ノイズ等が電力線に混入しても、通信障害が発生し難い電力線通信装置を提供することを目的とする。
第５発明では、負荷ノイズ及び飛来ノイズ等が電力線に混入しても、通信障害が発生し難い電力線送信機を提供することを目的とする。
第６発明では、負荷ノイズ及び飛来ノイズ等が電力線に混入しても、通信障害が発生し難い電力線受信機を提供することを目的とする。
【課題を解決するための手段】
【０００９】
第１発明に係る電力線通信システムは、電力線を通じて信号を送信する電力線送信部と、該信号を無線により送信する無線送信部とを有する１又は複数の送信機を備え、前記電力線送信部からの信号を電力線を通じて受信する電力線受信部と、前記無線送信部からの信号を無線により受信する無線受信部と、前記電力線受信部及び無線受信部がそれぞれ受信した各信号を合成、又は該各信号の受信品質の良好な方を選択して出力するダイバシティ部とを有する１又は複数の受信機を備える電力線通信システムにおいて、前記無線送信部が、送信する信号を所定時間遅延させる送信遅延回路を備え、前記電力線受信部が、受信した信号を前記所定時間遅延させる受信遅延回路を備えることを特徴とする。
【００１０】
この電力線通信システムでは、１又は複数の送信機は、電力線送信部が、電力線を通じて信号を送信し、無線送信部が、その信号を無線により送信する。１又は複数の受信機は、電力線受信部が電力線送信部からの信号を電力線を通じて受信し、無線受信部が、無線送信部からの信号を無線により受信し、ダイバシティ部が、電力線受信部及び無線受信部がそれぞれ受信した各信号を合成、又は各信号の受信品質の良好な方を選択して出力する。無線送信部は、送信する信号を送信遅延回路が所定時間遅延させ、電力線受信部は、受信した信号を受信遅延回路が所定時間遅延させる。
【００１１】
第２発明に係る電力線通信システムは、電力線を通じて信号を送信する電力線送信部と、該信号を無線により送信する無線送信部とを有する１又は複数の送信機を備え、前記電力線送信部からの信号を電力線を通じて受信する電力線受信部と、前記無線送信部からの信号を無線により受信する無線受信部と、前記電力線受信部及び無線受信部がそれぞれ受信した各信号を合成、又は該各信号の受信品質の良好な方を選択して出力するダイバシティ部とを有する１又は複数の受信機を備える電力線通信システムにおいて、前記電力線送信部が、送信する信号を所定時間遅延させる送信遅延回路を備え、前記無線受信部が、受信した信号を前記所定時間遅延させる受信遅延回路を備えることを特徴とする。
【００１２】
この電力線通信システムでは、１又は複数の送信機は、電力線送信部が、電力線を通じて信号を送信し、無線送信部が、その信号を無線により送信する。１又は複数の受信機は、電力線受信部が、電力線送信部からの信号を電力線を通じて受信し、無線受信部が、無線送信部からの信号を無線により受信し、ダイバシティ部が、電力線受信部及び無線受信部がそれぞれ受信した各信号を合成、又は各信号の受信品質の良好な方を選択して出力する。電力線送信部は、送信する信号を送信遅延回路が所定時間遅延させ、無線受信部は、受信した信号を受信遅延回路が所定時間遅延させる。
【００１３】
第３発明に係る電力線通信装置は、電力線を通じて信号を送信する電力線送信部と、該信号を無線により送信する無線送信部とを有する送信機を備え、前記電力線を通じて信号を受信する電力線受信部と、無線により信号を受信する無線受信部と、前記電力線受信部及び無線受信部がそれぞれ受信した各信号を合成、又は該各信号の受信品質の良好な方を選択して出力するダイバシティ部とを有する受信機を備える電力線通信装置において、前記無線送信部が、送信する信号を所定時間遅延させる送信遅延回路を備え、前記電力線受信部が、受信した信号を前記所定時間遅延させる受信遅延回路を備えることを特徴とする。
【００１４】
この電力線通信装置では、送信機は、電力線送信部が、電力線を通じて信号を送信し、無線送信部が、その信号を無線により送信する。受信機は、電力線受信部が、電力線を通じて信号を受信し、無線受信部が、無線により信号を受信し、ダイバシティ部が、電力線受信部及び無線受信部がそれぞれ受信した各信号を合成、又は各信号の受信品質の良好な方を選択して出力する。無線送信部は、送信する信号を送信遅延回路が所定時間遅延させ、電力線受信部は、受信した信号を受信遅延回路が所定時間遅延させる。
【００１５】
第４発明に係る電力線通信装置は、電力線を通じて信号を送信する電力線送信部と、該信号を無線により送信する無線送信部とを有する送信機を備え、前記電力線を通じて信号を受信する電力線受信部と、無線により信号を受信する無線受信部と、前記電力線受信部及び無線受信部がそれぞれ受信した各信号を合成、又は該各信号の受信品質の良好な方を選択して出力するダイバシティ部とを有する受信機を備える電力線通信装置において、前記電力線送信部が、送信する信号を所定時間遅延させる送信遅延回路を備え、前記無線受信部が、受信した信号を前記所定時間遅延させる受信遅延回路を備えることを特徴とする。
【００１６】
この電力線通信装置では、送信機は、電力線送信部が、電力線を通じて信号を送信し、無線送信部が、その信号を無線により送信する。受信機は、電力線受信部が、電力線を通じて信号を受信し、無線受信部が、無線により信号を受信し、ダイバシティ部が、電力線受信部及び無線受信部がそれぞれ受信した各信号を合成、又は各信号の受信品質の良好な方を選択して出力する。電力線送信部は、送信する信号を送信遅延回路が所定時間遅延させ、無線受信部は、受信した信号を受信遅延回路が所定時間遅延させる。
【００１７】
第５発明に係る電力線送信機は、電力線を通じて信号を送信する電力線送信部と、該信号を無線により送信する無線送信部とを備える電力線送信機において、前記電力線送信部又は無線送信部が、送信する信号を所定時間遅延させる送信遅延回路を備えることを特徴とする。
【００１８】
この電力線送信機では、電力線送信部が、電力線を通じて信号を送信し、無線送信部が、その信号を無線により送信し、電力線送信部又は無線送信部が備える送信遅延回路が、送信する信号を所定時間遅延させる。
【００１９】
第６発明に係る電力線受信機は、電力線を通じて信号を受信する電力線受信部と、無線により信号を受信する無線受信部と、前記電力線受信部及び無線受信部がそれぞれ受信した各信号を合成、又は該各信号の受信品質の良好な方を選択して出力するダイバシティ部とを備える電力線受信機において、前記電力線受信部又は無線受信部が、受信した信号を所定時間遅延させる受信遅延回路を備えることを特徴とする。
【００２０】
この電力線受信機では、電力線受信部が、電力線を通じて信号を受信し、無線受信部が、無線により信号を受信し、ダイバシティ部が、電力線受信部及び無線受信部がそれぞれ受信した各信号を合成、又は各信号の受信品質の良好な方を選択して出力する。電力線受信部又は無線受信部が備える受信遅延回路が、受信した信号を所定時間遅延させる。
【発明の効果】
【００２１】
第１，２発明に係る電力線通信システムによれば、負荷ノイズ及び飛来ノイズ等が電力線に混入しても、通信障害が発生し難い電力線通信システムを実現することができる。
【００２２】
第３，４発明に係る電力線通信装置によれば、負荷ノイズ及び飛来ノイズ等が電力線に混入しても、通信障害が発生し難い電力線通信装置を実現することができる。
【００２３】
第５発明に係る電力線送信機によれば、負荷ノイズ及び飛来ノイズ等が電力線に混入しても、通信障害が発生し難い電力線送信機を実現することができる。
【００２４】
第６発明に係る電力線受信機によれば、負荷ノイズ及び飛来ノイズ等が電力線に混入しても、通信障害が発生し難い電力線受信機を実現することができる。
【発明を実施するための最良の形態】
【００２５】
以下に、本発明をその実施の形態を示す図面に基づき説明する。
（実施の形態１）
図１は、本発明に係る電力線通信システム、電力線通信装置、電力線送信機及び電力線受信機の実施の形態１の要部構成を示すブロック図である。
この電力線通信システムは、電力線１を通じて、２台の電力線通信装置２，３が、双方向通信を行っており、電力線通信装置２は、送信機２２（電力線送信機）、受信機２１（電力線受信機）及びデータ処理部２３を、電力線通信装置３は、送信機３２、受信機３１及びデータ処理部３３をそれぞれ備えている。
【００２６】
データ処理部２３，３３は、外部から与えられた信号を送信用信号に変換処理して、送信機２２，３２に与え、受信機２１，３１から与えられた受信信号を、外部への出力用信号へ変換して、外部へ出力する。
送信機２２は、データ処理部２３から与えられた送信用信号を、電力線１に流れる電流に重畳させて送信する電力線送信部２８と、データ処理部２３から与えられた送信用信号を、遅延回路２９ｂにより所定時間遅延させた後、図示しないアンテナから無線送信する無線送信部２７とを備えている。
【００２７】
受信機２１は、電力線通信装置３側の送信機３２から送信され、電力線１を通じて受信した有線信号を、遅延回路２９ａにより所定時間遅延させた後、ダイバシティ部２６に与える電力線受信部２５を備えている。また、電力線通信装置３側の送信機３２から送信され、図示しないアンテナにより受信した無線信号を、ダイバシティ部２６に与える無線受信部２４を備えている。ダイバシティ部２６は、電力線受信部２５及び無線受信部２４から与えられた各信号を合成して、又は各信号の品質の良好な方を選択して、受信信号としてデータ処理部２３に与える。
【００２８】
送信機３２は、データ処理部３３から与えられた送信用信号を、電力線１に流れる電流に重畳させて送信する電力線送信部３８と、データ処理部３３から与えられた送信用信号を、遅延回路３９ｂにより所定時間遅延させた後、図示しないアンテナから無線送信する無線送信部３７とを備えている。
【００２９】
受信機３１は、電力線通信装置２側の送信機２２から送信され、電力線１を通じて受信した有線信号を、遅延回路３９ａにより所定時間遅延させた後、ダイバシティ部３６に与える電力線受信部３５を備えている。また、電力線通信装置２側の送信機２２から送信され、図示しないアンテナにより受信した無線信号を、ダイバシティ部３６に与える無線受信部３４を備えている。ダイバシティ部３６は、電力線受信部３５及び無線受信部３４から与えられた各信号を合成して、又は各信号の品質の良好な方を選択して、受信信号としてデータ処理部３３に与える。
【００３０】
以下に、このような構成の電力線通信システムの動作の例を以下に説明する。
電力線通信装置２側では、データ処理部２３が、外部から与えられた信号を送信用信号に変換処理して、送信機２２に与える。
送信機２２では、電力線送信部２８が、データ処理部２３から与えられた送信用信号を、電力線１に流れる電流に重畳させて送信すると共に、無線送信部２７が、データ処理部２３から与えられた送信用信号を、遅延回路２９ｂにより所定時間遅延させた後、図示しないアンテナから無線送信する。
【００３１】
この結果、図２（ａ）（ｂ）に示すように、送信機２２から無線送信された信号は、送信機２２から電力線１で有線送信された信号より所定時間遅延するので、ノイズによる妨害が発生したときに、妨害されるデータ（図２では、有線；データ２、無線；データ１）が異なることになる。従って、無線送信された信号、及び有線送信された信号の少なくとも何れかに、妨害されなかったデータが残ることになる。
【００３２】
電力線通信装置３側では、受信機３１は、電力線受信部３５が、電力線通信装置２側の電力線送信部２８から送信され、電力線１を通じて受信した有線信号を、遅延回路３９ａにより所定時間遅延させた後、ダイバシティ部３６に与える。また、無線受信部３４が、電力線通信装置２側の送信機２２から送信され、図示しないアンテナにより受信した無線信号を、ダイバシティ部３６に与える。
この結果、ダイバシティ部３６に与えられる無線送信された信号、及び有線送信された信号は、それぞれ送信時から所定時間遅延されたことになる。
【００３３】
その為、ダイバシティ部３６は、与えられた両信号を合成する（例えば、パルス信号の論理和を取る）ことにより、又は各信号の品質の良好な方を選択することにより、図２（ｃ）に示すように、通信結果として、ノイズによる妨害の影響を除去することができる。
ダイバシティ部３６は、ノイズによる妨害の影響を除去した通信結果を、受信信号としてデータ処理部３３に与える。データ処理部３３は、与えられた受信信号を、外部への出力用信号へ変換して、外部へ出力する。
尚、上述した動作は、電力線通信装置２側から電力線通信装置３へ送信する場合の動作であるが、電力線通信装置３側から電力線通信装置２へ送信する場合の動作も、符号が変わること以外は同様である。
【００３４】
（実施の形態２）
図３は、本発明に係る電力線通信システム、電力線通信装置、電力線送信機及び電力線受信機の実施の形態２の要部構成を示すブロック図である。
この電力線通信システムは、電力線１を通じて、２台の電力線通信装置４，５が、双方向通信を行っており、電力線通信装置４は、送信機４２（電力線送信機）、受信機４１（電力線受信機）及びデータ処理部４３を、電力線通信装置５は、送信機５２、受信機５１及びデータ処理部５３をそれぞれ備えている。
【００３５】
データ処理部４３，５３は、外部から与えられた信号を送信用信号に変換処理して、送信機４２，５２に与え、受信機４１，５１から与えられた受信信号を、外部への出力用信号へ変換して、外部へ出力する。
送信機４２は、データ処理部４３から与えられた送信用信号を、遅延回路４９ｂにより所定時間遅延させた後、電力線１に流れる電流に重畳させて送信する電力線送信部４８と、データ処理部４３から与えられた送信用信号を、図示しないアンテナから無線送信する無線送信部４７とを備えている。
【００３６】
受信機４１は、電力線通信装置５側の送信機５２から送信され、電力線１を通じて受信した有線信号を、ダイバシティ部４６に与える電力線受信部４５を備えている。また、電力線通信装置５側の送信機５２から送信され、図示しないアンテナにより受信した無線信号を、遅延回路４９ａにより所定時間遅延させた後、ダイバシティ部４６に与える無線受信部４４を備えている。ダイバシティ部４６は、電力線受信部４５及び無線受信部４４から与えられた各信号を合成して、又は各信号の品質の良好な方を選択して、受信信号としてデータ処理部４３に与える。
【００３７】
送信機５２は、データ処理部５３から与えられた送信用信号を、遅延回路５９ｂにより所定時間遅延させた後、電力線１に流れる電流に重畳させて送信する電力線送信部５８と、データ処理部５３から与えられた送信用信号を、図示しないアンテナから無線送信する無線送信部５７とを備えている。
【００３８】
受信機５１は、電力線通信装置４側の送信機４２から送信され、電力線１を通じて受信した有線信号を、ダイバシティ部５６に与える電力線受信部５５を備えている。また、電力線通信装置４側の送信機４２から送信され、図示しないアンテナにより受信した無線信号を、遅延回路５９ａにより所定時間遅延させた後、ダイバシティ部５６に与える無線受信部５４を備えている。ダイバシティ部５６は、電力線受信部５５及び無線受信部５４から与えられた各信号を合成して、又は各信号の品質の良好な方を選択して、受信信号としてデータ処理部５３に与える。
【００３９】
以下に、このような構成の電力線通信システムの動作の例を以下に説明する。
電力線通信装置４側では、データ処理部４３が、外部から与えられた信号を送信用信号に変換処理して、送信機４２に与える。
送信機４２では、電力線送信部４８が、データ処理部４３から与えられた送信用信号を、遅延回路４９ｂにより所定時間遅延させた後、電力線１に流れる電流に重畳させて送信すると共に、無線送信部４７が、データ処理部４３から与えられた送信用信号を、図示しないアンテナから無線送信する。
【００４０】
この結果、図４（ａ）（ｂ）に示すように、送信機４２から電力線１で有線送信された信号は、送信機４２から無線送信された信号より所定時間遅延するので、ノイズによる妨害が発生したときに、妨害されるデータ（図４では、有線；データ１、無線；データ２）が異なることになる。従って、無線送信された信号、及び有線送信された信号の少なくとも何れかに、妨害されなかったデータが残ることになる。
【００４１】
電力線通信装置５側では、受信機５１は、電力線受信部５５が、電力線通信装置４側の電力線送信部４８から送信され、電力線１を通じて受信した有線信号を、ダイバシティ部５６に与える。また、無線受信部５４が、電力線通信装置４側の送信機４２から送信され、図示しないアンテナにより受信した無線信号を、遅延回路５９ａにより所定時間遅延させた後、ダイバシティ部５６に与える。
この結果、ダイバシティ部５６に与えられる無線送信された信号、及び有線送信された信号は、それぞれ送信時から所定時間遅延されたことになる。
【００４２】
その為、ダイバシティ部５６は、与えられた両信号を合成する（例えば、パルス信号の論理和を取る）ことにより、又は各信号の品質の良好な方を選択することにより、図４（ｃ）に示すように、通信結果として、ノイズによる妨害の影響を除去することができる。
ダイバシティ部５６は、ノイズによる妨害の影響を除去した通信結果を、受信信号としてデータ処理部５３に与える。データ処理部５３は、与えられた受信信号を、外部への出力用信号へ変換して、外部へ出力する。
尚、上述した動作は、電力線通信装置４側から電力線通信装置５へ送信する場合の動作であるが、電力線通信装置５側から電力線通信装置４へ送信する場合の動作も、符号が変わること以外は同様である。
【図面の簡単な説明】
【００４３】
【図１】本発明に係る電力線通信システム、電力線通信装置、電力線送信機及び電力線受信機の実施の形態の要部構成を示すブロック図である。
【図２】本発明に係る電力線通信システムの動作の例を説明する為のタイミングチャートである。
【図３】本発明に係る電力線通信システム、電力線通信装置、電力線送信機及び電力線受信機の実施の形態の要部構成を示すブロック図である。
【図４】本発明に係る電力線通信システムの動作の例を説明する為のタイミングチャートである。
【図５】従来の電力線通信システムの動作の例を説明する為のタイミングチャートである。
【符号の説明】
【００４４】
１  電力線
２〜５  電力線通信装置
２１，３１，４１，５１  受信機（電力線受信機）
２２，３２，４２，５２  送信機（電力線送信機）
２３，３３，４３，５３  データ処理部
２４，３４，４４，５４  無線受信部
２５，３５，４５，５５  電力線受信部
２６，３６，４６，５６  ダイバシティ部
２７，３７，４７，５７  無線送信部
２８，３８，４８，５８  電力線送信部
２９ａ，３９ａ，４９ａ，５９ａ  遅延回路（受信遅延回路）
２９ｂ，３９ｂ，４９ｂ，５９ｂ  遅延回路（送信遅延回路）
【図１】
2008283483.tif 000003
【図２】
2008283483.tif 000004
【図３】
2008283483.tif 000005
【図４】
2008283483.tif 000006
【図５】
2008283483.tif 000007